(57)【要約】      （修正有）【課題】両面表示機能を有する表示器を提供する。【解決手段】複数表示機能を有する表示器は、少なくとも、画像表示モードが異なる第一表示領域と第二表示領域と、第一ピクセルアレイと第二ピクセルアレイと、第一ドライブアレイと第二ドライブアレイとを含む。そのうち各ドライブアレイは各表示領域の表示を制御する。表示器のパネルには、ＴＮ、ＳＴＮ、ＴＦＴ、ＴＦＤ、ＬＴＰＳまたは電気泳動表示器などを用いる。【選択図】図１１
2005107481.tif 000002
【特許請求の範囲】
【請求項１】
複数表示機能を有する表示器は、少なくとも、
画像表示モードが異なる第一表示領域と第二表示領域と、
第一ピクセルアレイと第二ピクセルアレイと、
第一ドライブアレイと第二ドライブアレイとを含み、そのうち各ドライブアレイは各表示領域の表示を制御することを特徴とする表示器。
【請求項２】
前記表示器は更に、
第一基板と第二基板との間にある液晶層を含み、液晶層の第一表示領域と第二表示領域とは異なる液晶表示モードを有することを特徴とする請求項１記載の表示器。
【請求項３】
前記表示領域がピクセルアレイを有することを特徴とする請求項１記載の表示器。
【請求項４】
前記表示領域の色表現が異なることを特徴とする請求項１記載の表示器。
【請求項５】
前記表示領域のピクセルアレイが同じ構造を有することを特徴とする請求項３記載の表示器。
【請求項６】
前記表示領域のピクセルアレイが異なる構造を有することを特徴とする請求項３記載の表示器。
【請求項７】
前記表示領域におけるピクセルは、その他のピクセルを１個以上含むことを特徴とする請求項３記載の表示器。
【請求項８】
前記表示領域のピクセルアレイの透過率または反射率が異なることを特徴とする請求項３記載の表示器。
【請求項９】
前記表示領域のピクセルアレイの色表現が異なることを特徴とする請求項３記載の表示器。
【請求項１０】
前記表示領域のピクセルアレイは、１個以上のサブピクセルアレイを有することを特徴とする請求項３記載の表示器。
【請求項１１】
前記表示領域のピクセルアレイは、２組以上のサブピクセルアレイを有することを特徴とする請求項１０記載の表示器。
【請求項１２】
前記表示領域におけるピクセルは、サブピクセルを１個以上含むことを特徴とする請求項１０記載の表示器。
【請求項１３】
前記表示領域におけるサブピクセルは、その他のサブピクセルを１個以上含むことを特徴とする請求項１０記載の表示器。
【請求項１４】
前記ピクセルアレイにおけるサブピクセルアレイは、周期的に配列されることを特徴とする請求項１０記載の表示器。
【請求項１５】
前記表示器は更に、ドライブアレイの開閉を制御する信号制御ユニットを含むことを特徴とする請求項１記載の表示器。
【請求項１６】
前記表示器は更に、ドライブアレイと接続される複数の接点を有するデータコントローラーを含むことを特徴とする請求項１記載の表示器。
【請求項１７】
前記表示器には、第一画像が第二画像と同一または反転したブロックを有し、よって複数の接点の接続順序を定めることを特徴とする請求項１６記載の表示器。
【請求項１８】
前記表示器は更に、データコントローラーと接続される表示スイッチ装置を含むことを特徴とする請求項１６記載の表示器。
【請求項１９】
前記データコントローラーは、
第一画像表示データユニットと第二画像表示データユニットと、
第一画像表示データユニットと第二画像表示データユニットと接続され、表示器が第一画像または第二画像を表示するのを切り替えるスイッチユニットとを含むことを特徴とする請求項１９記載の表示器。
【請求項２０】
前記表示器は更に、第一ドライブアレイと接続される第一データコントローラーと、第二ドライブアレイと接続される第二データコントローラーとを含むことを特徴とする請求項１記載の表示器。
【請求項２１】
前記第一画像と第二画像とは同時に表示されることを特徴とする請求項１記載の表示器。
【請求項２２】
前記第二画像は第一画像の一部反転画像であることを特徴とする請求項１記載の表示器。
【請求項２３】
前記第二画像は第一画像の縮小反転画像であることを特徴とする請求項１記載の表示器。
【請求項２４】
前記第一ドライブアレイと第二ドライブアレイは薄膜トランジスターであることを特徴とする請求項１記載の表示器。
【発明の詳細な説明】
【技術分野】
【０００１】
この発明は表示器に関し、特に複数の領域で画像を表示する表示器及びその回路レイアウトに関する。
【背景技術】
【０００２】
携帯電話の発展にしたがって、その表示器の重要性も上がってくる。使用者の習慣と時代の趨勢に応じて、両面表示機能を有する表示器が必要になっている。
しかし、従来の両面表示機能を有する表示器は、２枚の表示器を接着するだけである。このような構造は材料を浪費するのみならず、２倍以上の電力を必要とするという欠点もある。特に、このような構造は厚くて重いので、携帯型装置のコンパクト化に重大な支障をもたらしている。
【発明の開示】
【発明が解決しようとする課題】
【０００３】
この発明は、前述の問題を解決するため、複数の領域で画像を表示する表示器を提供することを課題とする。
【課題を解決するための手段】
【０００４】
この発明による複数表示機能を有する表示器は、少なくとも、画像表示モードが異なる第一表示領域と第二表示領域と、第一ピクセルアレイと第二ピクセルアレイと、第一ドライブアレイと第二ドライブアレイとを含む。各ドライブアレイは各表示領域の表示を制御する。
【発明の効果】
【０００５】
この発明は両面表示機能を有する表示器を提供する。この発明による表示器は二つ以上の表示領域に分けられ、各表示領域にあるピクセルには、種々の構造がある。ドライブアレイで、ピクセルにあるサブピクセルが、対応する液晶層を制御することによって、各表示領域に表示器の第一面または第二面で、第一画像または第二画像を表示させる。
【発明を実施するための最良の形態】
【０００６】
かかる方法の特徴を詳述するために、具体的な実施例を挙げ、図を参照して以下に説明する。
【０００７】
図１と図２は、この発明による表示器のパネル１０の構造を表す。図１はパネル１０の平面図である。パネル１０は領域１２、領域１４など二つ以上の領域に分けられる。領域１２、１４には、さまざまな形状、大きさ、色表現がありうる。図２は図１におけるＡ−Ａ’線に沿う断面図である。パネル１０は２枚の基板１６、１８と、基板１６、１８間にはさまれる液晶層２０を含む。領域１２、１４に数多くのピクセルがあり、基板１８は、それぞれ領域１２と領域１４にある液晶層２０の状態を決める第一ドライブアレイと第二ドライブアレイを含む。表示器が液晶表示器であれば、第一ドライブアレイと第二ドライブアレイは薄膜トランジスター（ＴＦＴ）アレイである。この発明は領域１２、１４における各ピクセルを、形状、寸法が異なる１個以上のサブピクセルに分ける。基板１８の構造を、サブピクセルを単位にして透過型、反射型または半透過型とし、第一ドライブアレイと第二ドライブアレイで液晶層２０を制御することによって、両面表示機能を有する表示器の第一面と第二面、または同じ面で画像を表示する。パネル１０はＴＮ、ＳＴＮ、ＴＦＴ、ＴＦＤ、ＬＴＰＳまたは電気泳動表示器などであり、液晶モードはＲＳＴＮ、ＲＴＮ、ＲＥＣＢ、ＭＴＮ、ＶＡなどである。
【０００８】
図３と図４はこの発明によるピクセル５０が２個のサブピクセル５００２、５００４を含むことを表す。領域１２、１４における各ピクセルは形状、寸法、色表現が異なるサブピクセルに分けられる。図３によれば、サブピクセル５００４はサブピクセル５００２に囲まれ、図４によれば、サブピクセル５００２はサブピクセル５００４と並列する。
【０００９】
図５から図７は基板の構造を表す。図５は透過型基板１８を示し、図６は反射型基板１８を示し、図７は半透過型基板１８を示す。図２７はサブピクセル６００２とサブピクセル６００４の可能な構造を表す対照表である。同じピクセルにおいて、サブピクセル６００２が透過型であれば、サブピクセル６００４は透過型、反射型または半透過型である。この発明はパネルを二つ以上の領域に分け、各領域にあるピクセルを１個以上のサブピクセルに分け、サブピクセルの構造をそれぞれ透過型、反射型または半透過型と決める。図８によれば、基板１８はいくつかの透過率または反射率が異なる領域に分けられる。各ピクセルにおけるサブピクセルも異なる透過率または反射率を有することが可能である。
【００１０】
図９はこの発明による液晶ＴＦＴアレイを表す。ＴＦＴは、サブピクセルが対応する液晶層にある液晶分子の回転を制御する。例えば、ＴＦＴ１００、１０２は構造が異なるサブピクセル１０４、１０６が対応するそれぞれ液晶分子の回転を制御する。信号制御ユニット１０８は各ＴＦＴのゲートを接続してＴＦＴの開閉を制御する。この発明は両面表示機能を有する表示器を提供するものであり、図９によれば、ピクセルは１個以上のサブピクセルに分けられ、各領域にあるＴＦＴは１組以上のＴＦＴアレイに分けられる。図９は２組のＴＦＴアレイを例にする。２組のＴＦＴアレイはサブピクセルに対応するそれぞれ液晶分子の回転を制御することによって、表示器の第一面と第二面で画像を表示する。データコントローラー１１０、１１２は画像データを保存するメモリから画像データを取得して表示器の第一面と第二面に提供する。データコントローラー１１０、１１２がそれぞれ２組のＴＦＴアレイと接続される場合、表示器の第一面と第二面は異なる画像を表示する。この発明も単一のデータコントローラーを２組のＴＦＴアレイと接続する。この場合、表示器の第一面と第二面は同じ画像を表示する。
【００１１】
図１０によれば、表示器の第一面１５０はＴＦＴアレイ１５４、１５６に制御され、第二面１５２はＴＦＴアレイ１５６に制御される。画像を表示する場合、第二面１５２と第一面１５０のＴＦＴアレイ１５６に対応する部分は同じ画像を表示する。図１１によれば、表示器の第一面１５０はＴＦＴアレイ１５４に制御される。画像を表示する場合、ＴＦＴアレイ１５４、１５６が相違したデータコントローラーと接続されたら、第一面１５０と第二面１５２は異なる画像を表示し、ＴＦＴアレイ１５４、１５６が同じデータコントローラーと接続されたら、ＴＦＴアレイ１５４、１５６の接続順序によって第一面１５０と第二面１５２の表示画像が決められる。
【００１２】
図１２は単一のデータコントローラーを使用する表示器を表す。データコントローラー２００は２組のＴＦＴアレイと接続され、表示器の第一面２０２と第二面２０４に画像データを提供する。図１３によれば、パネルは領域２０６、２０８に分けられる。表示器が両面表示機能を有すれば、第一面２０２は領域２０６と２０８で画像を表示し、第二面２０４は領域２０８で画像を表示する。表示器の第一面２０２のＴＦＴアレイはデータコントローラー２００のすべての接点と接続され、第二面２０４のＴＦＴアレイはデータコントローラー２００の接点ａ―ｉと接続される。データコントローラー２００は画像データを保存するメモリーから画像データを取得し、第一面２０２と第二面２０４のＴＦＴアレイに提供する。よって、第一面２０２と第二面２０４は同じ画像を表示し、または第二面２０４は第一面２０２の一部領域の画像を表示する。データコントローラー２００が第一面２０２と第二面２０４のＴＦＴアレイに異なる画像データを提供すれば、第一面２０２と第二面２０４は同時に画像を表示できない。信号制御ユニット２１０は第一面２０２と第二面２０４のＴＦＴアレイのゲートと接続されてＴＦＴアレイの開閉を制御する。このような回路構造はＴＦＴ基板またはＦＰＣ基板に形成することが可能である。信号制御ユニット２１０は領域Ａ、Ｂ、ＣにあるＴＦＴの開閉を制御できる。
【００１３】
図１４から図１７はこの発明による単面または両面表示機能を有する表示器２５０の構造を表す。表示器２５０が単面または両面で画像を表示する場合は、信号制御ユニットでドライブアレイの開閉を制御する。液晶表示器を例にすれば、信号制御ユニットはゲートＩＣである。図１４は表示器２５０の平面図である。表示器の第一面２５２と第二面２５４は表示器２５０の両面である。図１５―図１７は表示器２５０の側面図である。図１５によれば、表示器２５０は第二面２５４で画像を表示し、図１６によれば、表示器２５０は第一面２５２と第二面２５４で画像を表示し、図１７によれば、表示器２５０は第一面２５２で画像を表示する。表示器の第一面２５２はブロックＡ―Ｃなど複数の画面に分けられる。
【００１４】
図１８はこの発明による表示器の第一面表示と第二面表示を表す。データコントローラー３００は特殊なＩＣであって、領域３００２を備える。両面表示の場合、データコントローラー３００は第一面３０２と第二面３０４に画像を表示させ、領域３００２は第一面３０２における第二面３０４に対応するブロックと第二面３０４に画像を表示させる。単面表示の場合、データコントローラー３００は複数画面用のデータを提供し、領域３００２は第一面３０２における第二面３０４に対応するブロックに画像を表示させる。パネルは、第二面３０４に対応する部分とそれ以外の部分と２つの領域に分けられ、その第二面３０４に対応する部分におけるピクセルにあるサブピクセルの構造は異なる。
【００１５】
図１９はこの発明による表示器の第一面と第二面が同じ画像を表示することを表す。データコントローラー３００は表示器の第一面３０２と第二面３０４のＴＦＴアレイと接続される。表示器の第一面３０２は第二面３０４と寸法が同じブロック３０６を有する。第一面３０２はデータコントローラー３００のすべての接点と接続され、第二面３０４はデータコントローラー３００の接点ｊ―ｎと接続される。ブロック３０６または第二面３０４とデータコントローラー３００の接点との接続順序は図１９における矢印に沿う。両面表示の場合、ブロック３０６と第二面３０４は同じ画像を表示する。第一面３０２と第二面３０４が同じ画像を表示すれば、データコントローラー３００のすべての接点は第二面３０４と接続される。
【００１６】
図２０はこの発明による表示器の第一面と第二面が反転画像を表示することを表す。データコントローラー３００は表示器の第一面３０２と第二面３０４のＴＦＴアレイと接続される。表示器の第一面３０２は第二面３０４と寸法が同じブロック３０６を有する。第一面３０２はデータコントローラー３００のすべての接点と接続され、第二面３０４はデータコントローラー３００の接点ｊ―ｎと接続される。ブロック３０６とデータコントローラー３００の接点との接続順序は図２０における矢印に沿い、第二面３０２とデータコントローラー３００の接点ｊ−ｎとの接続順序はその逆である。両面表示の場合、ブロック３０６と第二面３０４は反転画像を表示する。第一面３０２と第二面３０４が同じ画像を表示すれば、データコントローラー３００のすべての接点は第二面３０４と接続される。図１８と図１９によれば、単一のデータコントローラーを使用する場合、両面表示であれば、ブロック３０６と第二面３０４は同一または反転画像を表示する。その取り決めはブロック３０６または第二面３０４とデータコントローラー３００の接点との接続順序に関わる。ブロック３０６と第二面３０４が同じ画像を表示すれば、接続順序は同じである。反対の場合に接続順序は逆である。
【００１７】
図２１はこの発明による表示器の両面表示を表す。データコントローラー４０８は特殊なＩＣである。表示器は表示スイッチ装置４００を備え、当表示スイッチ装置４００は副画面表示データユニット４０２と、主画面表示データユニット４０４と、スイッチユニット４０６とを含む。表示スイッチ装置４００はデータコントローラー４０８と接続され、スイッチユニット４０６で副画面表示データユニット４０２と主画面表示データユニット４０４を切り替える。
【００１８】
図２２は２個のデータコントローラーを使用する表示器を表す。データコントローラー５００、５０２はそれぞれ１組のＴＦＴアレイと接続される。データコントローラー５００は表示器の第一面５０４に画像データを提供し、データコントローラー５０２は表示器の第二面５０６に画像データを提供する。
【００１９】
図２３によれば、パネルは領域５０８と５１０に分けられる。両面表示の場合、第一面５０４は領域５０８と領域５１０で画像を表示し、第二面５０６は領域５１０で画像を表示する。データコントローラー５００、５０２は画像データを保存するメモリーから異なる画像データを取得し、データコントローラー５００は画像データを第一面５０４のＴＦＴアレイに提供し、データコントローラー５０２はその他の画像データを第二面５０６のＴＦＴアレイに提供する。よって、第一面５０４と第二面５０６は同一または相違した画像を表示できる。信号制御ユニット５１２は第一面５０４と第二面５０６のＴＦＴアレイのゲートと接続され、ＴＦＴアレイの開閉を制御する。このような回路構造はＴＦＴ基板またはＦＰＣ基板に形成することが可能である。信号制御ユニット５１２は領域Ａ、Ｂ、ＣにあるＴＦＴの開閉を制御できる。
【００２０】
図２４と図２５はこの発明によるデータコントローラーの回路図である。図２４によれば、データコントローラー５００、５０２は移動領域５１４２を有する画像データ５１４と接続される。移動領域５１４２とは画像データ５１４の非特定部分を指す。画像データ５１４はデータコントローラー５００によって第一面５０４に提供され、移動領域５１４２はデータコントローラー５０２によって第二面５０６に提供される。移動領域５１４２の位置の変化によって、第二面５０６は第一面５０４のさまざまな部分の画像を表示する。データコントローラー５００、５０２が異なった画像データと接続されれば、第一面５０４と第二面５０６は異なる映像を表示する。図２５によれば、データコントローラー５００は第一面５０４が表示する画像データをソフトウェア５１６を通してデータコントローラー５０２に送信する。よって、第二面５０６の表示画像は第一面５０４の表示画像の拡大または縮小の結果である。
【００２１】
図２６は２個のデータコントローラーを使用する表示器の第一面表示と第二面表示を表す。両面表示の場合、データコントローラー６００、６０２は第一面６０４と第二面６０６に画像を表示させる。第一面６０４と第二面６０６の表示画像はデータコントローラー６００、６０２が提供する画像データによって異なる。単面表示の場合、単一のデータコントローラー６０２または６０４を使用すれば複数画面表示は可能である。例えば、データコントローラー６００の領域６００２は第一面６０４における第二面６０６に対応するブロックに画像を表示させる。パネルは、第二面６０６に対応する部分とそれ以外の部分に分けられる。その第二面６０６に対応する部分におけるピクセルにあるサブピクセルは異なる構造を有する。
【００２２】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２３】
この発明は両面表示機能を有する表示器を提供する。この発明による表示器は二つ以上の表示領域に分けられ、各表示領域にあるピクセルには、種々の構造がある。ドライブアレイで、ピクセルにあるサブピクセルが、対応する液晶層を制御することによって、各表示領域に表示器の第一面または第二面で第一画像または第二画像を表示させる。
【図面の簡単な説明】
【００２４】
【図１】この発明による表示器のパネルの平面図である。
【図２】図１におけるＡ−Ａ’線に沿う断面図である。
【図３】サブピクセルがその他のサブピクセルを囲むことを表す説明図である。
【図４】サブピクセルが並列することを表す説明図である。
【図５】透過型基板を表す説明図である。
【図６】反射型基板を表す説明図である。
【図７】半透過型基板を表す説明図である。
【図８】透過率または反射率が異なる領域に分けられる基板を表す説明図である。
【図９】この発明による液晶ＴＦＴアレイを表す説明図である。
【図１０】表示器の第一面と第二面が異なるＴＦＴアレイに制御されることを表す説明図である。
【図１１】表示器の第一面がＴＦＴアレイに制御されることを表す説明図である。
【図１２】単一のデータコントローラーを使用する表示器を表す説明図である。
【図１３】二つの領域に分けられるパネルを表す説明図である。
【図１４】表示器の平面図である。
【図１５】表示器の第一側面図である。
【図１６】表示器の第二側面図である。
【図１７】表示器の第三側面図である。
【図１８】この発明による表示器の第一面表示と第二面表示を表す説明図である。
【図１９】この発明による表示器の第一面と第二面が同じ画像を表示することを表す説明図である。
【図２０】この発明による表示器の第一面と第二面が反転画像を表示することを表す説明図である。
【図２１】この発明による表示器の両面表示を表す説明図である。
【図２２】２個のデータコントローラーを使用する表示器を表す説明図である。
【図２３】二つの領域に分けられるパネルを表す説明図である。
【図２４】この発明によるデータコントローラーの第一回路図である。
【図２５】この発明によるデータコントローラーの第二回路図である。
【図２６】２個のデータコントローラーを使用する表示器の第一面表示と第二面表示を表す説明図である。
【図２７】サブピクセルの可能な構造を表す対照表である。
【符号の説明】
【００２５】
１０      パネル
１２、１４、２０６、２０８、３００２、 領域
５０８、５１０、６００２
１６、１８     基板
２０      液晶層
５０      ピクセル
５００２、５００４、６００２、６００４ サブピクセル
１００、１０２    ＴＦＴ
１０４、１０６    サブピクセル
１０８、２１０、５１２   信号制御ユニット
１１０、１１２、２００、３００、４０８、 データコントローラー
５００、５０２、６００、６０２
１５０、２０２、２５２、３０２、５０４、 第一面
６０４
１５２、２０４、２５４、３０４、５０６、 第二面
６０６
１５４、１５６   ＴＦＴアレイ
２５０     表示器
３０６     ブロック
４００     表示スイッチ装置
４０２     副画面表示データユニット
４０４     主画面表示データユニット
４０６     スイッチユニット
５１４     画像データ
５１４２    移動領域
５１６     ソフトウェア
【図１】
2005107481.tif 000003
【図２】
2005107481.tif 000004
【図３】
2005107481.tif 000005
【図４】
2005107481.tif 000006
【図５】
2005107481.tif 000007
【図６】
2005107481.tif 000008
【図７】
2005107481.tif 000009
【図８】
2005107481.tif 000010
【図９】
2005107481.tif 000011
【図１０】
2005107481.tif 000012
【図１１】
2005107481.tif 000013
【図１２】
2005107481.tif 000014
【図１３】
2005107481.tif 000015
【図１４】
2005107481.tif 000016
【図１５】
2005107481.tif 000017
【図１６】
2005107481.tif 000018
【図１７】
2005107481.tif 000019
【図１８】
2005107481.tif 000020
【図１９】
2005107481.tif 000021
【図２０】
2005107481.tif 000022
【図２１】
2005107481.tif 000023
【図２２】
2005107481.tif 000024
【図２３】
2005107481.tif 000025
【図２４】
2005107481.tif 000026
【図２５】
2005107481.tif 000027
【図２６】
2005107481.tif 000028
【図２７】
2005107481.tif 000029